(57)【要約】【課題】  簡便に精度良くフォーカス変動量を計測することが可能となる。また、そのフォーカス変動の結果を次ロットや次工程に反映させることにより、精度良く微細なパターンを形成する。【解決手段】  ウェーハ上に転写形成された複数の転写パターンのうち、最適な焦点位置の相異なる少なくとも一対の転写パターンについて、これらの各寸法を測定する寸法測定手段１と、一方の寸法と他方の寸法との差分値を求める差分値算出手段２と、この差分値を用いてウェーハのフォーカスエラー量を算出する焦点変動量算出手段３と、各転写パターンの寸法及びフォーカスエラー量を用いて、ウェーハの露光エラー量を算出する露光変動量算出手段４とを有して露光計測装置が構成されている。【選択図】  図１
2006005003.tif 000002
【特許請求の範囲】
【請求項１】
被転写体上に転写形成された複数の転写パターンのうち、最適な焦点位置の相異なる少なくとも一対の前記転写パターンについて、これらの各寸法を測定するステップと、
一方の前記転写パターンの前記寸法と他方の前記転写パターンの前記寸法との差分値を求めるステップと、
前記差分値を用いて前記被転写体の焦点変動量を算出するステップと
を含むことを特徴とする露光計測方法。
【請求項２】
前記焦点変動量を算出するステップにおいて、前記差分値と前記焦点変動量との関係を示すデータを有するデータベースを用いて、前記焦点変動量を決定することを特徴とする請求項１に記載の露光計測方法。
【請求項３】
前記転写パターンの前記寸法及び前記焦点変動量を用いて、前記被転写体の露光変動量を算出するステップを更に含むことを特徴とする請求項１又は２に記載の露光計測方法。
【請求項４】
前記焦点変動量及び前記露光変動量を算出する各ステップにおいて、前記転写パターンの前記寸法及び前記焦点変動量と前記露光変動量との関係とを示すデータを有するデータベースを用いて、前記露光変動量を決定することを特徴とする請求項３に記載の露光計測方法。
【請求項５】
前記転写パターンは、前記被転写体上に薄膜が形成され、前記薄膜上にリソグラフィーにより形成されたレジストパターンをマスクとして、前記薄膜が加工されてなる薄膜パターンであることを特徴とする請求項１〜４のいずれか１項に記載の露光計測方法。
【請求項６】
被転写体上に転写形成された複数の転写パターンのうち、最適な焦点位置の相異なる少なくとも一対の前記転写パターンについて、これらの各寸法を測定する寸法測定手段と、
一方の前記転写パターンの前記寸法と他方の前記転写パターンの前記寸法との差分値を求める差分値算出手段と、
前記差分値を用いて前記被転写体の焦点変動量を算出する焦点変動量算出手段と
を含むことを特徴とする露光計測装置。
【請求項７】
被転写体上に複数の転写パターンを形成する第１のステップと、
前記複数の転写パターンのうち、最適な焦点位置の相異なる少なくとも一対の前記転写パターンについて、これらの各寸法を測定する第２のステップと、
一方の前記転写パターンの前記寸法と他方の前記転写パターンの前記寸法との差分値を求める第３のステップと、
前記差分値を用いて前記被転写体の焦点変動量を算出する第４のステップと、
算出された前記焦点変動量が規格内であるか否かを判定する第５のステップと
を含み、
前記焦点変動量が規格内であると判定された場合には次ステップへ進み、規格外であると判定された場合には、前記複数の転写パターンを除去した後、前記第１のステップ乃至前記第５のステップを再度実行することを特徴とする半導体装置の製造方法。
【発明の詳細な説明】
【技術分野】
【０００１】
本発明は、半導体装置や液晶などの表示デバイスを製造するためのリソグラフィー工程において、パターン露光時のフォーカスエラー量などを計測する方法及び装置、並びに半導体装置の製造方法に関する。
【背景技術】
【０００２】
近時では、半導体素子の高集積化に伴い、リソグラフィーで形成するパターンの微細化が進行している。また、パターンが微細になるほど、必要とされる寸法均一性も小さくなる。寸法均一性を悪化させる大きな原因の一つに、露光装置の焦点変動（フォーカスエラー）が挙げられる。フォーカスエラーが発生すると、形成されるパターンに寸法変動が生じ、特に焦点深度の小さい孤立パターンなどの場合に顕著であり、甚だしい幅寸法の縮小を招く。例えば、９０ｎｍ世代の半導体素子を製造するためには、±５０ｎｍ程度のフォーカス管理が必須であると言われている。
【０００３】
従来の露光装置におけるフォーカス管理の一例は、以下のように実行されている。先ず日常点検などでフォーカスを各値に振ったサンプルウェーハを作製し、孤立パターンなどの幅寸法をＣＤ−ＳＥＭなどを用いて測定した後、ＣＤ−フォーカス曲線を描いて最適フォーカス値を決定する。そして、その結果を露光装置側にオフセット値として記憶させることによりフォーカスを管理する。
【０００４】
また、いわゆるインラインフォーカスモニター技術の他の具体例として、以下のものが提案されている。特許文献１では、レジストパターンのエッジの傾斜角度とフォーカス位置の関係を求め、ウェーハ上に形成されたレジストパターンのテーパ角度を算出し、フォーカス変動を測定するという技術が提案されている。また特許文献２では、専用マークを用いたレジストパターンの長手方向の長さ測定とレジストの厚みの変化量とから、フォーカス値を測定するという技術が提案されている。
【０００５】
【特許文献１】特開平１１−１８６１４５号公報
【特許文献２】特開２００１−３５１８５３号公報
【特許文献３】特開平８−１４８４９０号公報
【発明の開示】
【発明が解決しようとする課題】
【０００６】
従来手法によるフォーカス管理では、パターンの寸法測定に長時間を要するため、１日よりも短い時間単位による管理を行うことは困難であり、ましてや数時間単位もしくはそれよりも小さな時間内でのフォーカス変動をモニタすることは不可能である。また、通常の製品処理時にはウェーハ内やロット内でフォーカスを変化させた処理を行わないため、製品ウェーハを用いたフォーカス管理を行うことができないと考えられている。
【０００７】
更に、現状で提案されているインラインフォーカスモニタ技術では、検出できるフォーカス変動が必要とされる精度を満たすことができず、ＣＤ−ＳＥＭを用いた測定では測定再現性や測定精度が向上しないという問題が挙げられる。結果として、高精度なフォーカスモニターを行うことができない。
【０００８】
本発明は、上記の問題点を解決するためになされたものであり、簡便に高精度でフォーカスエラーを測定することを目的とし、最終的には、測定されたフォーカスエラーの情報を次ロットへのフィードバック、次工程へのフィードフォーワードへ反映させ、半導体装置を安定して製造できる露光計測方法及び装置、並びに半導体装置の製造方法を提供することを目的とする。
【課題を解決するための手段】
【０００９】
本発明の一観点によれば、被転写体上に転写形成された複数の転写パターンのうち、最適な焦点位置の相異なる少なくとも一対の前記転写パターンについて、これらの各寸法を測定するステップと、一方の前記転写パターンの前記寸法と他方の前記転写パターンの前記寸法との差分値を求めるステップと、前記差分値を用いて前記被転写体の焦点変動量を算出するステップとを含む露光計測方法が提供される。
【００１０】
本発明の他の観点によれば、被転写体上に転写形成された複数の転写パターンのうち、最適な焦点位置の相異なる少なくとも一対の前記転写パターンについて、これらの各寸法を測定する寸法測定手段と、一方の前記転写パターンの前記寸法と他方の前記転写パターンの前記寸法との差分値を求める差分値算出手段と、前記差分値を用いて前記被転写体の焦点変動量を算出する焦点変動量算出手段とを含む露光計測装置が提供される。
【００１１】
本発明のさらに他の観点によればは、被転写体上に複数の転写パターンを形成する第１のステップと、前記複数の転写パターンのうち、最適な焦点位置の相異なる少なくとも一対の前記転写パターンについて、これらの各寸法を測定する第２のステップと、一方の前記転写パターンの前記寸法と他方の前記転写パターンの前記寸法との差分値を求める第３のステップと、前記差分値を用いて前記被転写体の焦点変動量を算出する第４のステップと、算出された前記焦点変動量が規格内であるか否かを判定する第５のステップとを含み、前記焦点変動量が規格内であると判定された場合には次ステップへ進み、規格外であると判定された場合には、前記複数の転写パターンを除去した後、前記第１のステップ乃至前記第５のステップを再度実行する半導体装置の製造方法が提供される。
【発明の効果】
【００１２】
本発明によれば、簡便に精度良くフォーカス変動量を計測することが可能となる。また、そのフォーカス変動の結果を次ロットや次工程に反映させることにより、精度良く微細なパターンを形成することができる。
【発明を実施するための最良の形態】
【００１３】
−本発明の基本骨子−
転写パターンの寸法の測定値は、フォーカスエラーに対して一般的に偶数次の関数で近似される。従って、フォーカスエラーが生じた場合、そのズレが正側であるのか負側であるのかを判定することは困難である。これは即ち、フォーカスエラーに対して一般的に奇数次の単調増加関数又は単調減少関数で近似される値であれば、ズレ量の正負を判定することができることを意味する。本発明者は、この事実に着目して本発明に想到した。即ち、単一露光条件において最適なフォーカス位置の相異なる一対（２つ）の転写パターンを用いて、両者の寸法をそれぞれ測定し、一方の転写パターンの寸法と他方の転写パターンの寸法との差分値を算出する。この差分値は、フォーカスエラーに対して一般的に奇数次の関数で近似される値であるため、例えば当該差分値とフォーカスエラー量との関係を示すデータを有するデータベースを用いて、フォーカスエラー量を正確にすることができる。このフォーカスエラー量に基づき、例えば転写パターンの寸法及び上記の手法で得られたフォーカスエラー量と露光エラー量との関係とを示すデータを有するデータベースを用いて、露光エラー量を正確に決定することができる。
【００１４】
そして、本発明では、算出されたフォーカスエラー量及び露光エラー量を、次の前記各被転写体又は複数の前記被転写体からなるロットにフィードバックし、更にはパターニング工程に続く次工程にフィードフォーワードする。これにより、正確なパターニングを実現し、次工程以降の諸工程を最適化することができる。
【００１５】
−本発明の具体的な諸実施形態−
以下、本発明を適用した具体的な諸実施形態について、図面を参照しながら詳細に説明する。
【００１６】
（第１の実施形態）
本実施形態では、本発明の露光計測装置及び方法、並びに半導体装置の製造方法について述べる。
【００１７】
［露光計測装置の構成］
図１は、本実施形態による露光計測装置の概略構成を示すブロック図である。
この露光計測装置は、被転写体である例えばシリコンウェーハ上に転写形成された複数の転写パターンのうち、最適な焦点位置の相異なる少なくとも一対の転写パターンについて、これらの各寸法を測定する寸法測定手段１と、一方の転写パターンの寸法と他方の転写パターンの寸法との差分値を求める差分値算出手段２と、この差分値を用いてパターン転写時のシリコンウェーハのフォーカスエラー量を算出する焦点変動量算出手段３と、各転写パターンの寸法及びフォーカスエラー量を用いて、シリコンウェーハの露光エラー量を算出する露光変動量算出手段４とを有して構成されている。
【００１８】
寸法測定手段１は、高精度の測定を可能とする電子顕微鏡や原子間力顕微鏡、光学式幅寸法計測装置などの各種計測装置である。差分値算出手段２は、寸法測定手段１により得られた各寸法から差分値を求める際に、これを絶対値としてではなく正値（０を含む）又は負値として算出する。焦点変動量算出手段３及び露光変動量算出手段４は、差分値とフォーカスエラー量との関係を示すデータと、転写パターンの寸法（又は各寸法の平均値）及びフォーカスエラー量と露光エラー量との関係とを示すデータをそれぞれ有するデータベースを用いて、前者のデータからフォーカスエラー量を、後者のデータから露光エラー量を決定するものである。
【００１９】
［露光計測方法］
図２は、上述の露光計測装置を用いた露光計測方法をステップ順に示すフロー図である。
先ず、シリコンウェーハの表面に所定のパターンを形成する（ステップＳ１）。ここで、図３に本実施形態で用いるパターンの一例を示す。（ａ）は露光時のショットイメージを、（ｂ）は転写されたパターンイメージをそれぞれ表しており、ＮＡ＝０．８５の輪帯照明系を使用して転写されたテストパターンを用いたときに、設計デザイン（マスクデータ）上でピッチ＝１８０ｎｍ、寸法＝７０ｎｍのライン・アンド・スペース（Ｌ＆Ｓ）パターンの形成されたフォトマスクを用いて、シリコンウェーハ上に幅寸法が７０ｎｍのレジストパターンとして転写パターンを形成した結果である。
【００２０】
図３（ａ）に示すような１つの露光領域（１ショット）１１において、像高１０ａ，１０ｂでは最適な焦点位置が相異なることを前提とする。図３（ｂ）に示すような一対の転写パターン１２，１３を選択し、寸法測定手段１を用いて転写パターン１２，１３の幅寸法Ａ，Ｂをそれぞれ計測する（ステップＳ２，Ｓ３）。図３（ａ）では、測定対象としてライン＆スペースパターンを例示し、この場合でも正確にフォーカスエラーを把握することができるが、孤立パターンを用いた方がフォーカスに対する感度に優れ、より正確にフォーカスエラーを見積もることができる。このとき、幅寸法は小さいほうがフォーカスの変動に対する感度が高いため、例えば設計ルールで許される範囲内において、できるだけ小さい幅寸法の転写パターンが適していると考えられる。
【００２１】
続いて、差分値算出手段２を用いて転写パターン１２と転写パターン１３との幅寸法の差分値（Ａ−Ｂ）を算出する（ステップＳ４）。ここで、図４（ａ）に図３（ｂ）で示した転写パターンの幅寸法とフォーカスとの関係を、図４（ｂ）に図３（ｂ）で示した転写パターンの幅寸法の差分値とフォーカスとの関係をそれぞれ示す。図４（ａ）に示すように、一方の転写パターンの特性曲線がａであり、他方の転写パターンの特性曲線がｂである。特性曲線ａ，ｂでは最適なフォーカス位置に０．０６μｍの相違がある。仮にこれら２つの転写パターンを形成しようとする場合、０μｍと０．０６μｍとの中間である０．０３μｍの位置を最適フォーカス条件と決定して製品処理を実施することが好適である。このとき、前記差分値は０ｎｍとなる。ここで、フォーカスエラーが発生すると、例えば負方向にフォーカスがずれると、差分値は正方向に転ずる。反対に正方向にフォーカスがずれると、差分値は負方向に転じる。この性質を利用すれば、フォーカスエラーの正負の判定が可能となり、フォーカスエラー量及び露光エラー量を正確に決定することができる。
【００２２】
続いて、焦点変動量算出手段３及び露光変動量算出手段４を用い、算出された幅寸法Ａ、幅寸法Ｂ、差分値Ａ−Ｂをデータベースに入力する。このデータベースは、差分値とフォーカスエラー量との関係を示すデータと、転写パターンの寸法（又は各寸法の平均値）及びフォーカスエラー量と露光エラー量との関係とを示すデータをそれぞれ有するものである。前者のデータからフォーカスエラー量を決定し（ステップＳ５）、後者のデータから露光エラー量を決定する（ステップＳ６）。
【００２３】
ここで、上記のデータベースの一例を図５に示す。
このデータベースは、一対の転写パターンＡ，Ｂに対して、フォーカス量と露光量が変動したときの当該変動量と幅寸法及び差分値との関係を示すものである。例えば、転写パターン１２の幅寸法Ａが０．０５４μｍ、転写パターン１３の幅寸法Ｂが０．０６７μｍであったと仮定する。転写パターン１２，１３の差分値（Ａ−Ｂ）が−０．０１３μｍであるため、シリコンウェーハにパターンを転写したときのフォーカス位置は０．０９μｍであったと決定される。また、フォーカス位置が０．０９μｍのときの転写パターン１２，１３の幅寸法Ａ，Ｂを参照することにより、露光変動量の抽出が可能となる。この場合、幅寸法Ａが０．０５４μｍであることから、露光エネルギーが最適露光量に対して２．５％だけオーバーであることが判る。即ち、このデータベースを用いることにより、フォーカスエラー量及び露光エラー量を検出することができる。
【００２４】
［転写パターンの諸例］
以下、上述した露光計測装置及び方法でフォーカスエラーの決定に用いられる転写パターンについて、上記した孤立パターン以外の諸例について説明する。
【００２５】
（例１）
図６は、本実施形態の例１のパターンを示す平面図であり、（ａ）は露光時のショットイメージを、（ｂ）は転写されたパターンイメージをそれぞれ表す。
本例では、図６（ａ）に示すような１つの露光領域（１ショット）２１の４隅に像高２０ａ〜２０ｄを挿入する。各像高に対応するレジストパターンが折れ線形状、ここでは図６（ｂ）に示すような略Ｌ字状とされてなるＬ字状パターン２２とされており、各Ｌ字状パターン２２の互いに直交する直線パターンから一対の転写パターン２３，２４が構成されている。
【００２６】
一般的に露光装置は、必然的にレンズの収差を持ち合わせている。この収差は可及的に小さくなるように設計されているが、完全に０にすることは不可能である。例えば、非点収差を持ち合わせているレンズであると、互いに直交するパターン同士の最適なフォーカス位置に相違が現れる。そのため、非点収差を有する露光装置を用いる場合、本例の一対の転写パターン２３，２４により、フォーカスエラー量及び露光エラー量を読み取ることが可能となる。
【００２７】
ここで、１ショット内の４隅に像高を挿入するのは、これにより、フォーカスエラー量の傾斜成分を読み取ることが可能となるためである。４点のフォーカスエラー量を計測することにより、Ｘ方向及びＹ方向の傾斜成分を見積もることができる。このとき、一対の転写パターンが隣接するため、像高違いに起因する誤差を小さく抑えることが可能となり、より正確にフォーカスエラー及び露光エラーを検出することができる。
【００２８】
（例２）
図７は、本実施形態の例２のパターンを示す平面図であり、（ａ）は露光時のショットイメージを、（ｂ）は転写されたパターンイメージをそれぞれ表す。
本例では、図７（ａ）に示すような１つの露光領域（１ショット）３１の４隅に像高３０ａ〜３０ｄを挿入する。各像高に対応するレジストパターンが折れ線形状、ここでは図７（ｂ）に示すような略Ｖ字状とされてなるＶ字状パターン３２とされており、各Ｖ字状パターン３２の互いに直交する直線パターンから一対の転写パターン３３，３４が構成されている。即ち本例のＶ字状パターン３２は、上述した例１のＬ字状パターン２２を紙面内で４５°回転させたものである。
【００２９】
本例のＶ字状パターン３２はＬ字状パターン２２と同様に、非点収差を有する露光装置を用いる場合、本例の一対の転写パターン２３，２４により、フォーカスエラー量及び露光エラー量を読み取ることが可能となる。デバイス設計上、このような斜め形状のパターンの形成が禁止されている場合、当該斜め形状のパターンにより大きい非点収差が発生しても問題ないことがある。そこで、このＶ字状パターン３２に対する非点収差が大きくなるように設定し、デバイス設計上その形成を禁止して、この禁止されたＶ字状パターン３２を積極的に挿入して、露光エラー量の検出に用いる。一対の転写パターンにおける寸法の差分値を利用するという本発明の趣旨に基いて考察すれば、収差量が大きいほど、フォーカスエラー及び露光エラーの検出がより容易となるため、本例のＶ字状パターン３２は本発明に有効なパターンであることが判る。
【００３０】
（例３）
図８は、本実施形態の例３のパターンを示す平面図であり、（ａ）は露光時のショットイメージを、（ｂ）は転写されたパターンイメージをそれぞれ表す。
本例では、図８（ａ）に示すような１つの露光領域（１ショット）４１の４隅に像高４０ａ〜４０ｄを挿入する。各像高に対応するレジストパターンは、図８（ｂ）に示すように、言わばＬ字状パターン２２とＶ字状パターン３２とを組み合わせたパターンであり、中心から８本の直線パターン５１〜５８を有する放射状パターン４２とされており、各放射状パターン４２の直線パターン５１〜５８において互いに直交する２本（直線パターン５１，５３、直線パターン５２，５４等）からそれぞれ一対の転写パターンが構成されている。
【００３１】
露光装置によっては、例えば、０°と９０°で直交する一対の転写パターン（例えば直線パターン５１，５３）に対する非点収差は小さいが、４５°と１３５°で直交する一対の転写パターン（例えば直線パターン５２，５４）に対する非点収差は大きいなどという場合があり、放射状パターン４２はこのような場合に特に有効である。これにより、極めて正確にフォーカスエラー及び露光エラーを検出することが可能となる。
【００３２】
（例４）
図９は、本実施形態の例３のパターンを示す平面図であり、（ａ）は露光時のショットイメージを、（ｂ）は転写されたパターンイメージをそれぞれ表す。
本例では、図９（ａ）に示すような１つの露光領域（１ショット）６１の４隅に像高６０ａ〜６０ｄを挿入する。各像高に対応するレジストパターンは、図９（ｂ）に示すように、それぞれ、近接して並列する複数の直線パターンからなるライン・アンド・スペース（Ｌ＆Ｓ）パターン６２，６３とされており、各Ｌ＆Ｓパターンのうちの１本（直線パターン６４，６５）から一対の転写パターンが構成されている。ここで、各Ｌ＆Ｓパターン６２，６３は、直線パターンのピッチが相異なるように形成されている。
【００３３】
一般的に、球面収差を有する露光装置でパターン形成を行う場合、ピッチの異なるパターンで最適なフォーカス位置に相違が生じる。例えば、図１０（ａ），（ｂ）に示すようにピッチの相異なるＬ＆Ｓパターン１０１，１０２と、図１０（ｃ）に示すような孤立パターンである転写パターン１０３とを用いて、転写パターンの幅寸法とフォーカスとの関係を調べた結果を図１１（ａ）に示す。ここで、Ｌ＆Ｓパターン１０１，１０２では前者が後者よりもパターンが密とされており、１０１ａ，１０１ｂがそれぞれ転写パターンとされている。球面収差を有する露光装置では、図１１（ａ）に示すように、転写パターン１０１ａ，１０１ｂでは転写パターン１０３に比べて大きなフォーカスエラーが生じる。この場合、図１１（ｂ）に示すように、転写パターン１０１ａ，１０１ｂの幅寸法の差分値とフォーカスとの関係の知見を得ることにより、フォーカスエラーの正負の判定が可能となる。Ｌ＆Ｓパターン６２，６３は、この性質を利用してフォーカスエラー及び露光エラーを検出するためのパターンであり、非点収差が小さくて球面収差が大きい場合に特に有効である。
【００３４】
［フォーカスエラー及び露光エラーの補正方法］
本実施形態では、上述のようにフォーカスエラー量及び露光エラー量を知見し、この情報を用いてフォーカスエラー及び露光エラーを補正する。
【００３５】
図１２は、本実施形態のフォーカスエラー及び露光エラーの補正方法を説明するための模式図である。
この補正方法では、先ずロットＡについて標準的なフォーカス条件、露光条件及びフォーカス傾斜条件により露光し、パターン転写を行う。続いて、このロットＡについて上記の露光計測方法（図２のステップＳ１〜Ｓ５）により、フォーカスエラー量及び露光エラー量、並びにフォーカス傾斜量を算出する。ここで、フォーカス傾斜量は、１ショットの４隅のパターンを対象とすることにより計測が可能となるものである。
【００３６】
次に、算出されたフォーカスエラー量、露光エラー量及びフォーカス傾斜量を続くロットＢにフィードバックする。そして、ロットＢについて当該適正な露光エラー及びフォーカス傾斜量により、ステップＳ１〜Ｓ５を実行してフォーカスエラー量、露光エラー量及びフォーカス傾斜量を算出し、その結果を続くロットＣに対してフィードバックする。同様に、算出されたフォーカスエラー量、露光エラー量及びフォーカス傾斜量を続くロットＤにフィードバックする。このように、図示の例ではロットＸにおいて最適なフォーカス量、露光量及びフォーカス傾斜量となるまで、ステップＳ１〜Ｓ５を次ロットに対して繰り返し実行してゆく。このように、次回のロットに以前のフォーカスエラー量、露光エラー量及びフォーカス傾斜量を反映することにより、極めて精度の高いフォーカス及び露光コントロールを行うことが可能となる。
【００３７】
［フォーカスエラー量、露光エラー量及びフォーカス傾斜量の計測を含む半導体装置の製造方法］
本実施形態では、リソグラフィー工程において、上述したようにフォーカスエラー量、露光エラー量及びフォーカス傾斜量（以下、記載の便宜上、これらをまとめて変動量と呼ぶ。）の知見を得て、これを用いて所期のパターン形成を高精度に実行する。
【００３８】
図１３は、本実施形態による半導体装置の製造方法を示すフロー図である。
先ず、前工程（フォトマスク作製工程、ウェーハ作製工程など）であるステップＳ１１より受け入れたロットを露光処理する（ステップＳ１２）。
【００３９】
続いて、上記の変動量の計測、例えば図２のステップＳ１〜Ｓ５により変動量を算出する（ステップＳ１３）。
その結果、変動量が規格内であると判定された場合には次工程（ダイシングを含む組み立て工程等）へ進み（ステップＳ１４）、規格外であると判定された場合にはレジストを剥離して再度露光処理を実行する（ステップＳ１５）。この再処理時には、規格外となった変動量をフィードバックして露光処理することにより、精度の高いパターン形成を行うことができる。その結果に問題がなければ次工程へ進むことができる。このような手順を踏むことにより、製品の歩留まりに大きな向上が見込まれる。
【００４０】
（第２の実施形態）
本実施形態では、本発明で用いる転写パターンの形成方法の一例を示す。
通常、フォーカスエラー測定の対象となる転写パターンとしては、リソグラフィーにより形成されたレジストパターンが用いられる。しかしながら、レジストパターンよりも、当該レジストパターンをマスクとして、その下部に形成された所定の薄膜がエッチング加工されてなる薄膜パターンの方が、幅寸法を測定する際に用いられる電子線等に対するコントラストが高くなり、計測再現性に優れる場合がある。
【００４１】
図１４は、被転写体であるシリコン基板上に薄膜パターンを形成する様子を示す概略断面図である。
例えば、図１４（ａ）に示すように、Ｓｉ基板１１１上にＣＶＤ法等により多結晶シリコン膜１１２を堆積し、更にこの上にＳｉＯ膜１１３及び反射防止膜１１４を順次形成する。ここで、多結晶シリコン膜１１２及びＳｉＯ膜１１３から薄膜１２０が構成される。続いて、反射防止膜１１４上にレジストを塗布し、フォトリソグラフィーによりこのレジストを加工して、レジストパターン１１５を形成する。
【００４２】
そして、図１４（ｂ）に示すように、レジストパターン１１５をマスクとして多結晶シリコン膜１１２、ＳｉＯ膜１１３及び反射防止膜１１４を異方性ドライエッチングする。このとき、薄膜１２０がこの異方性ドライエッチングにより、レジストパターン１１５の形状に倣った薄膜パターン１２１に加工される。レジストパターン１１５及び反射防止膜１１４は除去される。なお、図示の便宜上、図１４（ｂ）ではレジストパターン１１５及び反射防止膜１１４が除去された後の様子を示している。
【００４３】
上記のようにして形成された薄膜パターン１２１は、当該薄膜パターン１２１とＳｉ基板１１１との電子線等に対するコントラストが高いため、レジストパターン１１５よりも高精度の寸法測定が可能となり、従ってより高精度なフォーカスエラー測定が実現する。
【００４４】
なお、フォーカスエラー測定の対象となる薄膜パターンの材料は、Ｓｉ基板との間で電子線等に対して高コントラストが得られるもの、例えば多結晶シリコン膜やＳｉＯ、ＳｉＮ、金属等を用いることができる。
【００４５】
（本発明を適用した他の実施形態）
上述した実施形態による露光計測装置を構成する各手段（寸法測定手段を除く。）、並びに露光計測方法や補正方法、半導体装置の製造方法の各ステップ（図２のステップＳ１〜Ｓ５、図１３のステップＳ１１〜Ｓ１５等）は、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００４６】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００４７】
また、コンピュータが供給されたプログラムを実行することにより上述の実施形態の機能が実現されるだけでなく、そのプログラムがコンピュータにおいて稼働しているＯＳ（オペレーティングシステム）或いは他のアプリケーションソフト等と共同して上述の実施形態の機能が実現される場合や、供給されたプログラムの処理の全て或いは一部がコンピュータの機能拡張ボードや機能拡張ユニットにより行われて上述の実施形態の機能が実現される場合も、かかるプログラムは本発明に含まれる。
【００４８】
例えば、図１５は、パーソナルユーザ端末装置の内部構成を示す模式図である。この図１５において、１２００はコンピュータＰＣである。ＰＣ１２００は、ＣＰＵ１２０１を備え、ＲＯＭ１２０２又はハードディスク（ＨＤ）１２１１に記憶された、或いはフレキシブルディスクドライブ（ＦＤ）１２１２より供給されるデバイス制御ソフトウェアを実行し、システムバス１２０４に接続される各デバイスを総括的に制御する。
【００４９】
以下、本発明の諸態様を付記としてまとめて記載する。
【００５０】
（付記１）被転写体上に転写形成された複数の転写パターンのうち、最適な焦点位置の相異なる少なくとも一対の前記転写パターンについて、これらの各寸法を測定するステップと、
一方の前記転写パターンの前記寸法と他方の前記転写パターンの前記寸法との差分値を求めるステップと、
前記差分値を用いて前記被転写体の焦点変動量を算出するステップと
を含むことを特徴とする露光計測方法。
【００５１】
（付記２）１つの露光領域内の少なくとも４箇所における前記転写パターンを用いることを特徴とする付記１に記載の露光計測方法。
【００５２】
（付記３）前記一対の転写パターンは、それぞれ孤立した直線形状とされてなることを特徴とする付記１又は２に記載の露光計測方法。
【００５３】
（付記４）前記一対の転写パターンは、２本の直線部位を有する折れ線形状とされてなり、前記各直線部位における前記寸法が測定されることを特徴とする付記１又は２に記載の露光計測方法。
【００５４】
（付記５）前記一対の転写パターンは、前記露光領域内においてＬ字又はＶ字に形成されてなることを特徴とする付記４に記載の露光計測方法。
【００５５】
（付記６）前記一対の転写パターンは、中心から少なくとも８本の直線部位を有する放射形状とされてなり、前記各直線部位における前記寸法が測定されることを特徴とする付記１又は２に記載の露光計測方法。
【００５６】
（付記７）前記一対の転写パターンは、それぞれ、近接して並列する複数の直線形状パターンのうちの１本であり、前記直線形状パターンのピッチが異なるものであることを特徴とする付記１又は２に記載の露光計測方法。
【００５７】
（付記８）前記焦点変動量を算出するステップにおいて、前記差分値と前記焦点変動量との関係を示すデータを有するデータベースを用いて、前記焦点変動量を決定することを特徴とする付記１〜７のいずれか１項に記載の露光計測方法。
【００５８】
（付記９）前記転写パターンの前記寸法及び前記焦点変動量を用いて、前記被転写体の露光変動量を算出するステップを更に含むことを特徴とする付記１〜７のいずれか１項に記載の露光計測方法。
【００５９】
（付記１０）前記焦点変動量及び前記露光変動量を算出する各ステップにおいて、前記転写パターンの前記寸法及び前記焦点変動量と前記露光変動量との関係とを示すデータを有するデータベースを用いて、前記露光変動量を決定することを特徴とする付記９に記載の露光計測方法。
【００６０】
（付記１１）前記転写パターンは、前記被転写体上に薄膜が形成され、前記薄膜上にリソグラフィーにより形成されたレジストパターンをマスクとして、前記薄膜が加工されてなる薄膜パターンであることを特徴とする付記１〜１０のいずれか１項に記載の露光計測方法。
【００６１】
（付記１２）被転写体上に転写形成された複数の転写パターンのうち、最適な焦点位置の相異なる少なくとも一対の前記転写パターンについて、これらの各寸法を測定する寸法測定手段と、
一方の前記転写パターンの前記寸法と他方の前記転写パターンの前記寸法との差分値を求める差分値算出手段と、
前記差分値を用いて前記被転写体の焦点変動量を算出する焦点変動量算出手段と
を含むことを特徴とする露光計測装置。
【００６２】
（付記１３）１つの露光領域内の少なくとも４箇所における前記転写パターンを用いることを特徴とする付記１２に記載の露光計測装置。
【００６３】
（付記１４）前記一対の転写パターンは、それぞれ孤立した直線形状とされてなることを特徴とする付記１２又は１３に記載の露光計測装置。
【００６４】
（付記１５）前記一対の転写パターンは、２本の直線部位を有する折れ線形状とされてなり、前記各直線部位における前記寸法が測定されることを特徴とする付記１２又は１３に記載の露光計測装置。
【００６５】
（付記１６）前記一対の転写パターンは、前記露光領域内においてＬ字又はＶ字に形成されてなることを特徴とする付記１５に記載の露光計測装置。
【００６６】
（付記１７）前記一対の転写パターンは、中心から少なくとも８本の直線部位を有する放射形状とされてなり、前記各直線部位における前記寸法が測定されることを特徴とする付記１２又は１３に記載の露光計測装置。
【００６７】
（付記１８）前記一対の転写パターンは、それぞれ、近接して並列する複数の直線形状パターンのうちの１本であり、前記直線形状パターンのピッチが異なるものであることを特徴とする付記１２又は１３に記載の露光計測装置。
【００６８】
（付記１９）前記焦点変動量算出手段は、前記差分値と前記焦点変動量との関係を示すデータを有するデータベースを用いて、前記焦点変動量を決定することを特徴とする付記１２〜１８のいずれか１項に記載の露光計測装置。
【００６９】
（付記２０）前記転写パターンの前記寸法及び前記焦点変動量を用いて、前記被転写体の露光変動量を算出する露光変動量算出手段を更に含むことを特徴とする付記１２〜１８のいずれか１項に記載の露光計測装置。
【００７０】
（付記２１）前記露光変動量算出手段は、前記転写パターンの前記寸法及び前記焦点変動量と前記露光変動量との関係とを示すデータを有するデータベースを用いて、前記露光変動量を決定することを特徴とする付記２０に記載の露光計測装置。
【００７１】
（付記２２）被転写体上に複数の転写パターンを形成する第１のステップと、
前記複数の転写パターンのうち、最適な焦点位置の相異なる少なくとも一対の前記転写パターンについて、これらの各寸法を測定する第２のステップと、
一方の前記転写パターンの前記寸法と他方の前記転写パターンの前記寸法との差分値を求める第３のステップと、
前記差分値を用いて前記被転写体の焦点変動量を算出する第４のステップと、
算出された前記焦点変動量が規格内であるか否かを判定する第５のステップと
を含み、
前記焦点変動量が規格内であると判定された場合には次ステップへ進み、規格外であると判定された場合には、前記複数の転写パターンを除去した後、前記第１のステップ乃至前記第５のステップを再度実行することを特徴とする半導体装置の製造方法。
【００７２】
（付記２３）１つの露光領域内の少なくとも４箇所における前記転写パターンを用いることを特徴とする付記２２に記載の半導体装置の製造方法。
【００７３】
（付記２４）前記一対の転写パターンは、それぞれ孤立した直線形状とされてなることを特徴とする付記２２又は２３に記載の半導体装置の製造方法。
【００７４】
（付記２５）前記一対の転写パターンは、２本の直線部位を有する折れ線形状とされてなり、前記各直線部位における前記寸法が測定されることを特徴とする付記２２又は２３に記載の半導体装置の製造方法。
【００７５】
（付記２６）前記一対の転写パターンは、前記露光領域内においてＬ字又はＶ字に形成されてなることを特徴とする付記２５に記載の半導体装置の製造方法。
【００７６】
（付記２７）前記少なくとも一対の転写パターンは、中心から少なくとも８本の直線部位を有する放射形状とされてなり、前記各直線部位における前記寸法が測定されることを特徴とする付記２３又は２４に記載の半導体装置の製造方法。
【００７７】
（付記２８）前記一対の転写パターンは、それぞれ、近接して並列する複数の直線形状パターンのうちの１本であり、前記直線形状パターンのピッチが異なるものであることを特徴とする付記２２又は２３に記載の半導体装置の製造方法。
【００７８】
（付記２９）前記第４のステップにおいて、前記差分値と前記焦点変動量との関係を示すデータを有するデータベースを用いて、前記焦点変動量を決定することを特徴とする付記２２〜２８のいずれか１項に記載の半導体装置の製造方法。
【００７９】
（付記３０）前記第４のステップにおいて、前記焦点変動量を算出するとともに、前記転写パターンの前記寸法及び前記焦点変動量を用いて、前記被転写体の露光変動量を算出することを特徴とする付記２２〜２９のいずれか１項に記載の半導体装置の製造方法。
【００８０】
（付記３１）前記第４のステップにおいて、前記転写パターンの前記寸法及び前記焦点変動量と前記露光変動量との関係とを示すデータを有するデータベースを用いて、前記露光変動量を決定することを特徴とする付記３０に記載の半導体装置の製造方法。
【００８１】
（付記３２）前記転写パターンは、前記被転写体上に薄膜が形成され、前記薄膜上にリソグラフィーにより形成されたレジストパターンをマスクとして、前記薄膜が加工されてなる薄膜パターンであることを特徴とする請求項２２〜３１のいずれか１項に記載の半導体装置の製造方法。
【図面の簡単な説明】
【００８２】
【図１】第１の実施形態による露光計測装置の概略構成を示すブロック図である。
【図２】第１の実施形態による露光計測装置を用いた露光計測方法をステップ順に示すフロー図である。
【図３】第１の実施形態で用いるパターンの一例を示す概略平面図である。
【図４】転写パターンの幅寸法とフォーカスとの関係、及び転写パターンの幅寸法の差分値とフォーカスとの関係をそれぞれ示す特性図である。
【図５】第１の実施形態で用いるデータベースの一例を示す模式図である。
【図６】第１の実施形態の例１のパターンを示す概略平面図である。
【図７】第１の実施形態の例２のパターンを示す概略平面図である。
【図８】第１の実施形態の例３のパターンを示す概略平面図である。
【図９】第１の実施形態の例４のパターンを示す概略平面図である。
【図１０】第１の実施形態の例４のパターン及びその比較例を示す概略平面図である。
【図１１】第１の実施形態の例４において、転写パターンの幅寸法とフォーカスとの関係、及び転写パターンの幅寸法の差分値とフォーカスとの関係をそれぞれ示す特性図である。
【図１２】第１の実施形態のフォーカスエラー及び露光エラーの補正方法を説明するための模式図である。
【図１３】第１の実施形態による半導体装置の製造方法を示すフロー図である。
【図１４】被転写体であるシリコン基板上に薄膜パターンを形成する様子を示す概略断面図である。
【図１５】パーソナルユーザ端末装置の内部構成を示す模式図である。
【符号の説明】
【００８３】
１  寸法測定手段
２  差分値算出手段
３  焦点変動量算出手段
４  露光変動量算出手段
１０ａ，１０ｂ，２０ａ〜２０ｄ，３０ａ〜３０ｄ，４０ａ〜４０ｄ，６０ａ〜６０ｄ  像高
１１，２１，３１，４１，６１  露光領域（１ショット）
１２，１３，２３，２４，３３，３４，５１〜５８，６４，６５  転写パターン
２２  Ｌ字状パターン
３２  Ｖ字状パターン
４２  放射状パターン
６２，６３  Ｌ＆Ｓパターン
１１１  Ｓｉ基板
１１２  多結晶シリコン膜
１１３  ＳｉＯ膜
１１４  反射防止膜
１１５  レジストパターン
１２０  薄膜
１２１  薄膜パターン
【図１】
2006005003.tif 000003
【図２】
2006005003.tif 000004
【図３】
2006005003.tif 000005
【図４】
2006005003.tif 000006
【図５】
2006005003.tif 000007
【図６】
2006005003.tif 000008
【図７】
2006005003.tif 000009
【図８】
2006005003.tif 000010
【図９】
2006005003.tif 000011
【図１０】
2006005003.tif 000012
【図１１】
2006005003.tif 000013
【図１２】
2006005003.tif 000014
【図１３】
2006005003.tif 000015
【図１４】
2006005003.tif 000016
【図１５】
2006005003.tif 000017